(57)【要約】【課題】移動レンズの調整位置をロックする際に移動レンズの調整のズレを防止し、好ましいフォーカス調整やズーム調整等が維持される監視カメラ用レンズ装置を提供する。【解決手段】フォーカスレンズ１２を移動させる際に操作されるフォーカスリング１６と、ズームレンズ１８を移動させる際に操作されるズームリング２２は、ロックつまみ２６を締め付けることによってロックされる。ロックつまみ２６を締め付けると、フォーカスリング１６とズームリング２２の間に設けられた押え板３０の穴部６２にロックつまみ２６のネジ部５８が挿入されて溝部６２が広げられた結果、押え板３０が光軸方向に弾性変形する。弾性変形した押え板３０は光軸方向からフォーカスリング１６及びズームリング２２に接触して、これらの接触面に作用する摩擦力によりフォーカスリング１６及びズームリング２２がロックされる。【選択図】  図３
2011154307.tif 000002
【特許請求の範囲】
【請求項１】
第１の移動レンズと、
円筒形状を有し、内部に前記第１の移動レンズが軸方向に沿って移動可能に支持される第１のレンズ鏡筒と、
前記第１のレンズ鏡筒に対応する円筒形状を有し、前記第１のレンズ鏡筒の外周部に支持されるとともに前記第１のレンズ鏡筒に対して回転可能に支持され、回転動作に応じて前記第１の移動レンズを前記軸方向に沿って移動させる構造を有する第１の回転筒と、
前記第１の回転筒の回転方向の位置を固定するロック機構と、
を備え、
前記ロック機構は、前記軸方向と略平行方向に弾性変形させることが可能な構造を有し、弾性変形させた状態で前記軸方向と略平行方向から前記第１の回転筒に接触するように支持された押え板と、前記押え板を押圧するネジ部を先端に有するロックつまみと、前記ロックつまみのネジ部が係合される穴部を有し、前記押え板を前記第１のレンズ鏡筒と反対側から支持するカバー部材と、を具備するとともに、前記ロックつまみが締め付けられると前記ロックつまみによって前記押え板が押圧されて前記軸方向と略平行方向に弾性変形し、前記押え板は前記軸方向と略平行方向から前記第１の回転筒へ接触して前記第１の回転筒の回転方向の位置を固定することを特徴とする監視カメラ用レンズ装置。
【請求項２】
前記押え板は、前記第１のレンズ鏡筒の外周面に対応する円弧形状を有するとともに、前記ロックつまみの先端形状に対応する形状を有する凹部と、前記凹部を通り、前記第１のレンズ鏡筒の周方向又は該周方向に対して斜めの方向に形成された溝部と、を具備し、
前記カバー部材の穴部と前記押え板の凹部との位置を合わせた状態で前記ロックつまみが締め付けられて、前記第１の回転筒の回転方向の位置が固定されることを特徴とする請求項１に記載の監視カメラ用レンズ装置。
【請求項３】
前記押え板と前記第１の回転筒との接触面は、互いに表面粗さが異なることを特徴とする請求項１又は２に記載の監視カメラ用レンズ装置。
【請求項４】
第２の移動レンズと、
前記第１のレンズ鏡筒と同一の軸を有する円筒形状を有し、内部に前記第２のレンズが前記軸方向に沿って移動可能に支持され、前記第１の固定筒の後側に組みつけられる第２のレンズ鏡筒と、
前記第２のレンズ鏡筒の外周面に支持されるとともに、前記第２のレンズ鏡筒に対して回転可能に支持される第２の回転筒と、
を備え、
前記押え板は、前記軸方向に弾性変形させることが可能な構造を有し、弾性変形させた状態で前記第１の回転筒及び前記第２の回転筒に対して軸方向と略平行方向から接触するように配置され、
前記ロック機構は、前記ロックつまみが締め付けられて前記押え板が前記ロックつまみにより押圧されて前記軸方向に弾性変形し、前記押え板は前記軸方向から前記第１の回転筒及び前記第２の回転筒へ接触して前記第１の回転筒及び前記第２の回転筒の回転方向の位置が固定されることを特徴とする請求項１乃至３のいずれかに記載の監視カメラ用レンズ装置。
【請求項５】
前記第１のレンズ鏡筒は、前記第２のレンズ鏡筒の前面側に設けられたフランジ部の内周面に嵌合する形状を有し、
前記押え板は、前記第２のレンズ鏡筒の外周面に対応する形状を有し、前記第２のレンズ鏡筒のフランジ部に支持されることを特徴とする請求項４に記載の監視カメラ用レンズ装置。
【請求項６】
前記カバー部材は、前記第２のレンズ鏡筒のフランジ部を囲う円筒形状を有し、前記第２レンズ鏡筒のフランジ部に固定されることを特徴とする請求項５に記載の監視カメラ用レンズ装置。
【請求項７】
前記押え板と前記第２の回転筒との接触面は、互いに表面粗さが異なることを特徴とする請求項４乃至６のいずれかに記載の監視カメラ用レンズ装置。
【発明の詳細な説明】
【技術分野】
【０００１】
本発明は監視カメラ用レンズ装置に係り、特にフォーカスリングやズームリング等の操作リング（回転筒）を所望の位置でロックする構造に関する。
【背景技術】
【０００２】
近年では、金融機関、各種店舗等において小型の監視カメラ（監視用ＣＣＴＶカメラ）が広く用いられている。この種の監視カメラに使用される監視カメラ用のレンズ装置は、鏡筒（固定筒）の外周部にフォーカス位置を調整するためのフォーカスリングと、焦点距離を調整するためのズームリングとが設けられており、監視カメラの設置時等において、フォーカスリング、ズームリングをマニュアル操作してフォーカス位置、焦点距離の調整が行われる。
【０００３】
また、監視カメラは、ケース内に収容された状態で壁面などに設置され、ケースに設けられた開口から監視カメラ用のレンズ装置の前面が臨むようにして外部の撮影が行なえるようになっている。
【０００４】
特許文献１には、監視カメラ用レンズ装置の鏡筒の外周部において、前方側（被写体側）にフォーカスリングが配置されるとともに、その外周部にズームリングが配置され、ケースに設けられた開口からフォーカスリングとズームリングの操作を容易に行なえるようにした監視カメラ用レンズ装置が開示されている。
【先行技術文献】
【特許文献】
【０００５】
【特許文献１】特開２００７−３１０２２８号公報
【発明の概要】
【発明が解決しようとする課題】
【０００６】
ところで、特許文献１に開示された監視カメラ用レンズ装置は、調整されたフォーカスリング、ズームリングの位置を固定するためのロック機構が設けられている。このロック機構は、フォーカスリングにネジ孔が設けられるとともに、フォーカスリングの外周部に配置されたズームリングは、フォーカスリングのネジ孔の位置に対応して周方向に沿う長孔形状の開口部が設けられ、フランジ部を有するロックつまみがズームリングの開口部を介してフォーカスリングのネジ孔に係合される構造を有している。
【０００７】
フォーカスリング及びズームリングを操作してフォーカス位置、焦点距離を調整した後に、ロックつまみを締め付けるとフォーカスリングのネジ孔を挿通したロックつまみの先端がレンズ鏡筒の外周に当接してフォーカスリングの位置が固定されるとともに、ロックつまみのフランジ部がズームリングの開口部周辺に当接してズームリングがフランジ部に押圧されて位置が固定される。
【０００８】
しかしながら、上記のようなロック機構を用いてフォーカスリング及びズームリングを固定すると、ロックつまみを締め付けたときにレンズ鏡筒を変形させてしまうことがあり、調整されたフォーカス調整やピント調整にズレが生じてしまう。近年では、監視カメラの高画質化、高精細化に伴いピント合わせや画角調整が厳格に行われるようになっており、このようなフォーカス調整やピント調整のズレを適切に防止する必要がある。
【０００９】
本発明は、このような事情に鑑みてなされたもので、移動レンズの調整位置をロックする際に移動レンズの調整のズレを防止し、好ましいフォーカス調整やズーム調整等が維持される監視カメラ用レンズ装置を提供することを目的とする。
【課題を解決するための手段】
【００１０】
上記目的を達成するために、本発明に係る監視カメラ用レンズ装置は、第１の移動レンズと、円筒形状を有し、内部に前記第１の移動レンズが軸方向に沿って移動可能に支持される第１のレンズ鏡筒と、前記第１のレンズ鏡筒に対応する円筒形状を有し、前記第１のレンズ鏡筒の外周部に支持されるとともに前記第１のレンズ鏡筒に対して回転可能に支持され、回転動作に応じて前記第１の移動レンズを前記軸方向に沿って移動させる構造を有する第１の回転筒と、前記第１の回転筒の回転方向の位置を固定するロック機構と、を備え、前記ロック機構は、前記軸方向と略平行方向に弾性変形させることが可能な構造を有し、弾性変形させた状態で前記軸方向と略平行方向から前記第１の回転筒に接触するように支持された押え板と、前記押え板を押圧するネジ部を先端に有するロックつまみと、前記ロックつまみのネジ部が係合される穴部を有し、前記押え板を前記第１のレンズ鏡筒と反対側から支持するカバー部材と、を具備するとともに、前記ロックつまみが締め付けられると前記ロックつまみによって前記押え板が押圧されて前記軸方向と略平行方向に弾性変形し、前記押え板は前記軸方向と略平行方向から前記第１の回転筒へ接触して前記第１の回転筒の回転方向の位置を固定することを特徴とする。
【００１１】
本発明によれば、第１の回転筒の回転方向の位置を固定する際に、押え板を第１のレンズ鏡筒の軸方向（光軸方向）と略平行方向に弾性変形させて第１の回転筒に接触させ、第１の回転筒と押え板との間に摩擦力を作用させて第１の回転筒の回転方向の位置をロックするので、第１の回転筒をロックする際の第１の移動レンズを支持している第１のレンズ鏡筒のひずみが防止され、第１の移動レンズの好ましい調整が維持される。
【００１２】
本発明において、移動レンズの前側又は後側の少なくともいずれかに固定レンズを備える態様も可能である。
【００１３】
請求項２に係る発明は、請求項１に記載の監視カメラ用レンズ装置の一態様に係り、前記押え板は、前記第１のレンズ鏡筒の外周面に対応する円弧形状を有するとともに、前記ロックつまみの先端形状に対応する形状を有する凹部と、前記凹部を通り、前記第１のレンズ鏡筒の周方向又は該周方向に対して斜めの方向に形成された溝部と、を具備し、前記カバー部材の穴部と前記押え板の凹部との位置を合わせた状態で前記ロックつまみが締め付けられて、前記第１の回転筒の回転方向の位置が固定されることを特徴とする。
【００１４】
かかる態様によれば、押え板を支持するカバー部材に取り付けられたロックつまみが、押え板に設けられた凹部に挿入されることで第１の鏡筒の周方向又は周方向に対して斜め方向に設けられた溝が広げられ、押え板が第１の鏡筒の周方向と略直交する軸方向へ変形しやすくなる。
【００１５】
溝部は、押え板を貫通する形状でもよいし非貫通形状でもよいが、貫通形状とすることでロックつまみを締め付けたときにより変形しやすくなる。
【００１６】
請求項３に係る発明は、請求項１又は２に記載の監視カメラ用レンズ装置の一態様に係り、前記押え板と前記第１の回転筒との接触面は、互いに表面粗さが異なることを特徴とする。
【００１７】
かかる態様によれば、押え板と第１の回転筒との接触面の摩擦係数をより大きくすることができ、第１の回転筒の回転方向の位置をより確実に固定し得る。
【００１８】
表面粗さを異ならせるには、当該接触面同士の材料を異ならせてもよいし、当該接触面の一方に表面粗さを変える処理を施してもよい。
【００１９】
請求項４に係る発明は、請求項１乃至３のいずれかに記載の監視カメラ用レンズ装置の一態様に係り、第２の移動レンズと、前記第１のレンズ鏡筒と同一の軸を有する円筒形状を有し、内部に前記第２のレンズが前記軸方向に沿って移動可能に支持され、前記第１の固定筒の後側に組みつけられる第２のレンズ鏡筒と、前記第２のレンズ鏡筒の外周面に支持されるとともに、前記第２のレンズ鏡筒に対して回転可能に支持される第２の回転筒と、を備え、前記押え板は、前記軸方向に弾性変形させることが可能な構造を有し、弾性変形させた状態で前記第１の回転筒及び前記第２の回転筒に対して軸方向と略平行方向から接触するように配置され、前記ロック機構は、前記ロックつまみが締め付けられて前記押え板が前記ロックつまみにより押圧されて前記軸方向に弾性変形し、前記押え板は前記軸方向から前記第１の回転筒及び前記第２の回転筒へ接触して前記第１の回転筒及び前記第２の回転筒の回転方向の位置が固定されることを特徴とする。
【００２０】
かかる態様によれば、複数の移動レンズ（第１の移動レンズ及び第２の移動レンズ）を備える態様において、第１の移動レンズを移動させる際に操作される第１の回転筒と、第２の移動レンズを移動させる際に操作される第２の回転筒と、を共通のロック機構により回転方向の位置を固定することができる。
【００２１】
かかる態様における第１の移動レンズ及び第２の移動レンズの適用例として、第１の移動レンズをフォーカスレンズ、第２の移動レンズをズームレンズとする態様が挙げられる。
【００２２】
請求項５に係る発明は、請求項４に記載の監視カメラ用レンズ装置の一態様に係り、前記第１のレンズ鏡筒は、前記第２のレンズ鏡筒の前面側に設けられたフランジ部の内周面に嵌合する形状を有し、前記押え板は、前記第２のレンズ鏡筒の外周面に対応する形状を有し、前記第２のレンズ鏡筒のフランジ部に支持されることを特徴とする。
【００２３】
かかる態様において、第１の回転筒は外周面から突出した凸部を有するとともに、第２の回転筒は外周面から突出した凸部を有し、該第１の回転筒の凸部及び第２の回転筒の凸部と押え板との位置が合わせられるよう押え板が支持される構造では、第１の回転筒の凸部及び第２の回転筒の凸部と押え板との接触面に作用する摩擦力によって、第１の回転筒及び第２の回転筒がロックされる。
【００２４】
請求項６に係る発明は、請求項５に記載の監視カメラ用レンズ装置の一態様に係り、前記カバー部材は、前記第２のレンズ鏡筒のフランジ部を囲う円筒形状を有し、前記第２レンズ鏡筒のフランジ部に固定されることを特徴とする。
【００２５】
かかる態様において、押え板の周方向の長さをフランジ面の全周の長さ未満とする態様が好ましい。
【００２６】
請求項７に係る発明は、請求項４乃至６のいずれかに記載の監視カメラ用レンズ装置の一態様に係り、前記押え板と前記第２の回転筒との接触面は、互いに表面粗さが異なることを特徴とする。
【００２７】
かかる態様において、第１の回転筒と押え板との接触面の表面粗さと、第２の回転筒と押え板との接触面の表面粗さと、同一にしてもよいし、異ならせてもよい。
【発明の効果】
【００２８】
本発明によれば、第１の回転筒の回転方向の位置を固定する際に、押え板を第１のレンズ鏡筒の軸方向（光軸方向）と略平行方向に弾性変形させて第１の回転筒に接触させ、第１の回転筒と押え板との間に摩擦力を作用させて第１の回転筒の回転方向の位置をロックするので、第１の回転筒をロックする際の第１の移動レンズを支持している第１のレンズ鏡筒のひずみが防止され、第１の移動レンズの好ましい調整が維持される。
【図面の簡単な説明】
【００２９】
【図１】本発明に係るレンズ装置の全体構造を示す斜視図
【図２】図１に示すレンズ装置の側面図
【図３】図１のＡ‐Ａ線に沿う断面図
【図４】図１に示すレンズ装置に適用されるロック機構の分解斜視図
【図５】図４に示すロック機構の非ロック状態を説明する図
【図６】図４に示すロック機構のロック状態を説明する図
【発明を実施するための形態】
【００３０】
以下、添付図面に従って本発明に係る監視カメラ用レンズ装置の好ましい実施の形態について詳述する。
【００３１】
〔全体構成〕
図１は、本発明に係るレンズ装置の斜視図であり、図２は、該レンズ装置の側面図である。図１及び２に示すレンズ装置１０は、主として監視用のカメラに用いられるものであり、フォーカスレンズ１２を内部に支持する第１の固定筒（レンズ鏡筒）１４の外周部にフォーカスリング１６が設けられるとともに、ズームレンズ１８（図２参照）を内部に支持する第２の固定筒（レンズ鏡筒）２０の外周部にズームリング２２が設けられ、さらに、ズームレンズ１８及びズームリング２２は後側（フォーカスレンズ１２の反対側）からフォルダー２４により支持されている。
【００３２】
また、図１に示すレンズ装置１０は、フォーカスリング１６の回転方向の位置及びズームリング２２の回転方向の位置をロックするためのロック機構を具備している。このロック機構は、フォーカスレンズを固定するためのロックつまみ２６が係合される穴（図１、２中不図示、図３に符号５６を付して図示）を有するカバー２８と、カバー２８と第２の固定筒２０との間に支持され、フォーカスリング１６及びズームリング２２に光軸（図３に符号Ｏを付して図示）と略平行方向から接触する押え板３０（図１、２中破線で図示）が設けられている。なお、以下の説明において、図３に図示した光軸Ｏと、図１、２に図示した第１の固定筒１４及び第２の固定筒２０の軸方向と、は一致しているものとする。
【００３３】
カバー２８は、ネジ穴３１に係合されるネジ（不図示）によって、第２の固定筒２０のフランジ部（図３に符号２０Ａを付して図示）に固定される。
【００３４】
さらに、ロックつまみ２６が設けられる上側面の反対側面（下側面）には、アイリス装置（図１中不図示、図３に符号３５を付して図示）を駆動するためのモータ３２が設けられ、モータ３２はフランジ部３４を介して第２の固定筒２０に取り付けられている。
【００３５】
図３は、図１及び図２に図示したレンズ装置１０の詳細構造を示す断面図（図１のＡ−Ａ線に沿う断面図）である。
【００３６】
同図に示すように、ズームリング２２が内部に支持される第２の固定筒２０は、前側端部にフランジ部２０Ａが設けられ、フランジ部２０Ａの内部にアイリス装置３５が組み付けられるとともに、アイリス装置３５のさらに前側にフォーカスレンズ１２が内部に支持される第１の固定筒１４が組み付けられた構造を有している。
【００３７】
フォーカスレンズ１２は外周部をレンズ枠３６で固定されている。レンズ枠３６は、第１の固定筒１４の内部に配置され、その周面より突出した係合ピン３８が装着されている。
【００３８】
一方、第１の固定筒１４は、光軸Ｏと略平行方向に直進溝４０が形成されており、係合ピン３８が直進溝４０に係合されることによってレンズ枠３６及びフォーカスレンズ１２が直進溝４０にガイドされて、光軸Ｏの方向に沿って直進移動するように構成されている。
【００３９】
フォーカスリング１６は、内周面に光軸に対してらせん状のカム溝４２が形成されている。レンズ枠３６に装着された係合ピン３８は、第１の固定筒１４の直進溝４０と係合した状態で第１の固定筒１４の外周面から突出し、フォーカスリング１６に設けられたカム溝４２と係合する。したがって、フォーカスリング１６が回転操作されると、フォーカスリング１６のカム溝４２と第１の固定筒１４の直進溝４０との交差位置が光軸Ｏの方向に沿って変位し、カム溝４２と直進溝交差位置に従って係合ピン３８、レンズ枠３６、及びフォーカスレンズ１２が光軸Ｏの方向に沿って変位する。
【００４０】
このようにして、フォーカスリング１６を回転操作することによって、フォーカスレンズ１２の位置を調整してフォーカス調整（ピント調整）を行なうことができる。また、第１の固定筒１４とフォーカスリング１６との間には波形バネ５１Ａが挿入され、波形バネ５１Ａは第１の固定筒１４とフォーカスリング１６とを引き離すように作用する。かかる波形バネ５１Ａの作用によってフォーカスリング１６には操作トルクが発生し、好ましい操作感を得ることができる。
【００４１】
ズームレンズ１８は外周部をレンズ枠４４で固定されている。レンズ枠４４は第２の固定筒２０の内部に配置されており、その周面より突出した係合ピン４６が装着されている。
【００４２】
一方、第２の固定筒２０は、光軸Ｏと略平行方向に直進溝４８が形成されており、係合ピン４６が直進溝４８に係合されることによってレンズ枠４４及びズームレンズ１８が直進溝４８にガイドされて、光軸Ｏの方向に沿って直進移動するように構成されている。
【００４３】
ズームリング２２は、内周面に光軸に対してらせん状のカム溝５０が形成されている。レンズ枠４４に装着された係合ピン４６は、第２の固定筒２０の直進溝４８と係合した状態で第２の固定筒２０の外周面から突出し、ズームリング２２に設けられたカム溝５０と係合する。したがって、ズームリング２２を回転操作すると、ズームリング２２のカム溝５０と第２の固定筒２０の直進溝４８との交差位置が光軸Ｏの方向に沿って変位するとともに、その交差位置に従って係合ピン４６、レンズ枠４４、及びズームレンズ１８が光軸Ｏの方向に沿って変位する。
【００４４】
このようにして、ズームリング２２を回転操作することによって、ズームレンズ１８の位置を調整して焦点距離の調整（ズーム調整）を行うことができる。また、第２の固定筒２０とズームリング２２との間には波形バネ５１Ｂが挿入され、波形バネ５１Ｂは第２の固定筒２０とズームリング２２とを引き離すように作用する。かかる、波形バネ５１Ｂの作用によってズームリング２２には操作トルクが発生し、好ましい操作感を得ることができる。
【００４５】
フォーカスリング１６は外周面に沿って一周にわたり爪部５２が設けられ、ズームリング２２は外周面の上側（アイリス装置３５の反対側）に一周の長さに満たない爪部５４が設けられている。この爪部５２，５４は、フォーカスリング１６及びズームリング２２を操作者が操作する際に手で持ちやすい構造となっており、フォーカスリング１６及びズームリング２２の操作性の向上に寄与している。また、爪部５２，５４は、後述するロック機構によるフォーカスリング１６及びズームリング２２のロックの際の作用点となっている。
【００４６】
ロックつまみ２６は、カバー２８のネジ穴５６に挿入されるネジ部５８を有し、ネジ部５８の先端５８Ａは、ロックつまみを締め付けた状態で押え板３０を図中上側から光軸Ｏに向かう方向に押圧する。押え板３０は、上側をカバー２８によって支持されるとともに下側を第２の固定筒２０のフランジ部２０Ａによって支持される。すなわち、押え板３０はカバー２８と第２の固定筒２０とによって上下方向からはさまれて固定されている。
【００４７】
また、押え板３０はロックつまみ２６のネジ部５８の先端５８Ａが挿入可能な形状を有する穴部６０が設けられ、ロックつまみ２６を締め付けた状態で先端５８Ａが穴部６０に挿入されるように位置が決められている。
【００４８】
かかる構造を有するレンズ装置１０は、撮像装置を有する監視カメラの前面（被写体側の面）に取り付けられ、所定の設置場所に固定される。なお、図１〜３に図示したフォルダー２４に撮像装置が内蔵される態様の可能である。例えば、フォルダー２４に基板が装着され、該基板にＣＣＤ撮像素子が実装されるとともに、ＣＣＤ撮像素子の前側にローパスフィルタやＩＲカットフィルタが装着された撮像装置を内蔵する態様が可能である。
【００４９】
上記実施形態では、図１〜図３にはフォーカスレンズ１２及びズームレンズ１８をそれぞれ１つだけ図示したが、フォーカスレンズ１２及びズームレンズ１８を複数のレンズからなるレンズ群として構成してもよい。また、上記実施形態では、モータ３２によって絞り機構が動作するアイリス装置３５を例示したが、第１の固定筒１４又は第２の固定筒２０に対して回転可能に支持された回転筒を操作して絞り機構を動作させる態様も可能である。
【００５０】
〔ロック機構の説明〕
次に、レンズ装置１０のフォーカスレンズ１２及びズームレンズのロック機構について詳説する。図４は、図１〜３に図示したレンズ装置１０に適用されるロック機構を分解して図示した分解斜視図である。
【００５１】
同図に示すように、押え板３０は第２の固定筒２０のフランジ部２０Ａ（図３参照）に嵌合する形状（該フランジ部２０Ａの上側にはめ合わせられる形状）を有している。すなわち、押え板３０は、前側面又は後側面から形状が円弧形状であり、その周方向の長さは第２の固定筒２０のフランジ部２０Ａの全周に対して略１／８（円弧の中心角が略４５°）となっている。また、内周面（フランジ部２０Ａに支持される面）に、第２の固定筒２０のフランジ部２０Ａの外周部の凹凸形状に対応した凹凸形状が形成されている。
【００５２】
押え板３０の外周面３０Ａの略中央部には、ロックつまみ２６の先端５８Ａの形状に対応するテーパ形状を有する穴部６０が設けられている。さらに、穴部６０の両側に外周面３０Ａに穴部６０の中心を通り、周方向に沿う溝部６２が設けられている。
【００５３】
押え板３０は、ロックつまみ２６の先端５８Ａが穴部６０に挿入されて、ロックつまみ２６が締め付けられると、ロックつまみ２６のネジ部５８が先端５８Ａから溝部６２に入り込み、溝部６２の幅が広げられることで溝部６２の周方向と略直交する光軸Ｏ（図３参照）と略平行方向について弾性変形する。図４に図示した矢印線によって示される方向は、押え板３０の弾性変形方向である。
【００５４】
かかる構造を有するロック機構において、ロックつまみ２６を締め付けると、光軸Ｏと略平行方向に弾性変形した押え板３０は、フォーカスリング１６の爪部５２及びズームリング２２の爪部５４に接触し（図３参照）、接触面における摩擦力の作用によってフォーカスリング１６及びズームリング２２がロックされる。
【００５５】
図５は、フォーカスリング１６及びズームリング２２がロックされていない非ロック状態を模式的に図示した説明図であり、図６は、フォーカスリング１６及びズームリング２２がロックされているロック状態を模式的に図示した説明図である。
【００５６】
図５に示す非ロック状態では、カバー２８のネジ穴５６に挿入されたロックつまみ２６の先端５８Ａは、押え板３０との間に一定の距離を有し、押え板３０に接触していない。さらにロックつまみ２６をねじ込んで、下方向（矢印線で図示）に移動させると、ロックつまみ２６の先端５８Ａが押え板３０の穴部６０の上側のテーパ形状に接触する。さらにロックつまみ２６をねじ込むと、先端５８Ａは穴部６０の奥へ入り込む。そうすると、押え板３０が弾性変形し、前側の端面３０Ｂはフォーカスリング１６の爪部５２の後側面に接触し、後側の端面３０Ｃはズームリング２２の爪部５４前側面に接触する。
【００５７】
図６に示すロック状態は、押え板３０とフォーカスリング１６の爪部５２及びズームリング２２の爪部５４が接触し、これらの接触面に摩擦力が作用して、フォーカスリング１６の回転方向の位置が固定されるととともに、ズームリング２２の回転方向の位置が固定された状態である。
【００５８】
すなわち、光軸Ｏ（図３参照）と略平行方向に広げられ、同方向に弾性変形した押え板３０は、爪部５２の前側端面３０Ｂが光軸Ｏと略平行方向からフォーカスリング１６の爪部５２に接触し、押え板３０の前側端面３０Ｂと爪部５２の後側面との間に摩擦力が作用し、フォーカスリング１６がロックされる。同様に、弾性変形した押え板３０は、後側端面３０Ｃが光軸方向と略平行方向からフォーカスリング１６の爪部５４に接触し、押え板３０の後側端面３０Ｃと爪部５２の前側面との間に摩擦力が作用し、ズームリング２２がロックされる。
【００５９】
すなわち、フォーカスリング１６及びズームリング２２に光軸Ｏと略平行方向から圧力が付与されてフォーカスリング１６及びズームリング２２がロックされるので、光軸Ｏ（第１の固定筒１４及び第２の固定筒２０の軸）へ向かう圧力をかけることがなく、第１の固定筒１４及び第２の固定筒２０の変形が防止される。したがって、フォーカスリング１６及びズームリング２２をロックする際のピント調整やズーム調整のズレが低減される。
【００６０】
なお、フォーカスリング１６及びズームリング２２のロック状態とは、フォーカスリング１６及びズームリング２２と押え板３０との接触により摩擦力が作用している状態であり、ロックつまみ２６の先端５８Ａが押え板３０に接触して押え板３０を変形させていても、フォーカスリング１６及びズームリング２２と押え板３０との間に、フォーカスリング１６及びズームリング２２がロックされる程度に摩擦力が作用していなければ、非ロック状態といえる。
【００６１】
換言すると、非ロック状態には、押え板３０が変形していても、フォーカスリング１６及びズームリング２２と押え板３０との間に、フォーカスリング１６及びズームリング２２がロックされる程度の摩擦力が作用していない状態が含まれる。
【００６２】
上記の如く構成されたレンズ装置１０は、フォーカスレンズ１２の位置を調整するフォーカスリング１６、及びズームレンズ１８の位置を調整するズームリング２２をロックする際に、フォーカスリング１６及びズームリング２２に対して、光軸Ｏと略平行方向に弾性変形させた押え板３０を同方向から接触させて、フォーカスリング１６及びズームリング２２と押え板３０との接触面に摩擦力を作用させるので、第１の固定筒１４及び第２の固定筒２０に対して軸方向へ向かう力が作用しないので、第１の固定筒１４及び第２の固定筒２０の変形に起因するフォーカスレンズ１２及びズームレンズ１８の調整ズレが防止される。
【００６３】
また、フォーカスリング１６及びズームリング２２に共通のロック機構を具備することで、レンズ装置１０の全体の小型化に寄与するとともに、フォーカス調整及びズーム調整後のロック操作を簡単にすることが可能である。
【００６４】
本発明に係る監視カメラ用レンズ装置は、特に、レンズの直径がφ５ｍｍ〜２０ｍｍ程度の小型監視カメラ用のレンズ装置に好適である。
【００６５】
〔変形例〕
（押え板とフォーカスリング及びズームリングとの接触面について）
押え板３０とフォーカスリング１６及びズームリング２２との間に作用する摩擦力をより大きくするために、これらの接触面の表面粗さを粗くするとよい。該接触面の表面粗さを粗くするには、押え板３０の前側端面３０Ｂ及び後側端面３０Ｃに、ブラスト（ナシジ）処理等を施してもよいし、表面粗さが粗い材料からなる部材を貼り付けてもよい。
【００６６】
例えば、フォーカスリング１６及びズームリング２２にポリカーボネートを適用し、押え板３０との接触面にブラスト加工等の表面処理加工を施して、フォーカスリング１６及びズームリング２２の押え板３０との接触面の表面粗さを粗くすることが考えられる。
【００６７】
（押え板の形状）
押え板３０は、前側（又は後側）から光軸方向について見た形状が円弧形状となっている。かかる円弧形状の中心角を大きくするとフォーカスリング１６及びズームリング２２との接触面積をより大きくすることができる一方、穴部６０から離れた部分は弾性変形しにくくなる。より大きい接触面積を確保するとともにより好ましい弾性変形をさせるために、押え板３０の円弧形状の中心角は３０°以上１８０°以下とするとよい。
【００６８】
溝部６２の周方向の長さは穴部６０から両端までが等しくなるように決めると、押え板３０が周方向について均一に弾性変形して好ましい。溝部６２の周方向の長さを大きくすると弾性変形する部分をより大きくすることができる。また、溝部６２の幅をより大きくすることで、押え板３０が弾性変形しやすくなる。押え板３０の弾性変形のしやすさと強度のバランスから、溝部６２の周方向の長さは押え板３０の周方向の全長に対して５０％以上９０％以下（好ましくは、７０％以上９０％以下）とし、溝部６２の幅（周方向と直交する光軸Ｏと略平行方向の長さ）は押え板３０の幅の１０％以上５０％以下とするとよい。
【００６９】
本例では、押え板３０を弾性変形させるための溝部６２は押え板３０を厚み方向に貫通する形状としたが、溝部６２を非貫通形状としてもよい。
【００７０】
（その他の変形例）
本例では、複数の移動レンズを備えるとともに、各移動レンズについて操作リングを備えたレンズ装置を例示したが、本発明は移動レンズを１つだけ具備するレンズ装置にも適用することができる。例えば、上記実施形態におけるフォーカスレンズ１２及びその移動機構が省略された態様も可能である。かかる態様において、レンズ鏡筒（第２の固定筒２０）の前側端部や移動レンズの後側に固定レンズ（群）が設けられていてもよい。また、かかる態様における移動レンズは、フォーカスレンズでもズームレンズでもよい。
【００７１】
本例では、１つの押え板３０を用いてフォーカスリング１６及びズームリング２２の両方がロックされるロック機構の構造を例示したが、フォーカスリング１６及びズームリング２２のいずれか一方のみをロックしてもよい。
【００７２】
かかる態様では、ロックされるリング（回転筒）と接触する面の反対側は弾性変形させる必要がないので、当該反対側面が固定支持される構造が好ましい。また、フォーカスリング１６及びズームリング２２のいずれか一方のみをロックするために、それぞれについて別々にロック機構が具備される態様としてもよい。
【００７３】
本例では、フォーカスリング１６の爪部５２及びズームリング２２の爪部５４に押え板３０を接触させる態様を例示したが、押え板３０を接触させる面は、フォーカスリング１６の後側端面及びズームリング２２の前側端面でもよい。すなわち、押え板３０を接触させる面は、フォーカスリング１６及びズームリング２２に対して光軸Ｏと略平行方向から接触させることができる面であればよい。
【００７４】
なお、本実施の形態では、フォーカスリング及びズームリングをロックする構造を例示したが、本発明の適用範囲は、操作リング（回転筒）をロックする構造に広く適用することが可能である。
【符号の説明】
【００７５】
１０…レンズ装置、１２…フォーカスレンズ、１４…第１の固定筒、１６…フォーカスリング、１８…ズームレンズ、２０…第２の固定筒、２２…ズームリング、２６…ロックつまみ、２８…カバー、３０…押え板、５８…ネジ部、６０…穴部、６２…溝部
【図１】
2011154307.tif 000003
【図２】
2011154307.tif 000004
【図３】
2011154307.tif 000005
【図４】
2011154307.tif 000006
【図５】
2011154307.tif 000007
【図６】
2011154307.tif 000008